(57)【特許請求の範囲】
【請求項１】
バランス式風呂釜を取り外した建物外壁にできる壁孔を利用して屋外に燃焼器具を設け、該燃焼器具からのドレンを浴室内に導いて、自然落下により該ドレンを導入する容器体を備えるものであって、
前記容器体に設けられドレンを導入するためのドレン導入孔と、
前記容器体に設けられ前記ドレンを排出するためのドレン排出孔と
を有しており、
前記容器体の内部には、中和剤を充填する複数の空間を区分する隔壁が設けられ、該隔壁の上方には、中和剤が移動可能な大きさの空間が形成されていて、
さらに、
前記容器体には、前記浴室内に開口した空気孔が形成されており、該空気孔は、前記容器体のドレン水位の位置よりも上になるように設定されている
ことを特徴とする中和器。
【請求項２】
前記容器体のドレン水位よりも上部に、中和剤の挿入口が形成されていることを特徴とする請求項１に記載の中和器。
【請求項３】
前記中和剤を充填する複数の空間のうち、前記ドレン導入孔の直近に位置する中和剤の充填空間が他の空間と比較して同等以上に大きく形成されていることを特徴とする請求項１または２のいずれかに記載の中和器。
【請求項４】
前記中和剤を充填する複数の空間のうち、前記ドレン導入孔の直近に位置する中和剤の充填空間の底部は、ドレンが次に移動する空間に向けて下降する傾斜面とされていることを特徴とする請求項１ないし３のいずれかに記載の中和器。
【請求項５】
前記容器体には、前記ドレン導入孔と接続するドレン導入用の予備空間が設けられており、該予備空間と、前記中和剤が充填される中和剤の充填空間との間には、隔壁が形成されていて、該隔壁と前記中和剤の充填空間との間には、該中和剤の外形よりも小さな連通孔が設けられていることを特徴とする請求項１ないし４のいずれかに記載の中和器。
【請求項６】
バランス式風呂釜を取り外した建物外壁にできる壁孔を利用して屋外に燃焼器具を設け、該燃焼器具からのドレンを浴室内に導いて、自然落下により該ドレンを導入する容器体を備える燃焼装置であって、該燃焼部により加熱された流体を供給する配管を備え、
前記燃焼手段の燃焼により加熱される一次熱交換器と、
該一次熱交換器に入る前の流体を導き、前記燃焼手段の燃焼にともなって発生する排気ガスの潜熱を回収するための二次熱交換器である潜熱回収用熱交換器と、
該潜熱回収用熱交換器により潜熱を回収する際に発生するドレンを導き、該ドレンを中和する中和器と
を備えており、
前記中和器が、
容器体に設けられドレンを導入するためのドレン導入孔と、
前記容器体に設けられ前記ドレンを排出するためのドレン排出孔と
を有しており、
前記容器体の内部には、中和剤を充填する複数の空間を区分する隔壁が設けられ、
該隔壁の上方には、中和剤が移動可能な大きさの空間が形成されていて、
さらに、
前記容器体には、前記浴室内に開口した空気孔が形成されており、該空気孔は、前記容器体のドレン水位の位置よりも上になるように設定されている
ことを特徴とする燃焼装置。
【発明の詳細な説明】
【技術分野】
【０００１】
この発明は、潜熱回収型の給湯装置における潜熱回収にともなって発生するドレン（水）を中和する中和器および中和器を備える燃焼装置に関する。
【背景技術】
【０００２】
近年、風呂の追焚き燃焼および／または給湯燃焼を行うにあたり、燃焼装置により加熱される一次熱交換器に加え、この一次熱交換器を加熱した燃焼排気の持つ潜熱を回収する二次熱交換器、すなわち潜熱回収用熱交換器を備えた燃焼器具が開発されている（特許文献１参照）。
【０００３】
この特許文献１の燃焼器具では、一次熱交換器１６と二次熱交換器１８との間にドレンの捕集部材２６を有している。この捕集部材２６は、二次熱交換器１８による潜熱の回収の際に発生するドレン（水）を受けるものである。このドレンは燃焼排気中の水蒸気が凝結したものであり、ｐＨ２．５ないし３の酸性水であり、このまま排水すると、コンクリートを溶解したり、土壌中に浸みこんで植物に悪影響を与え、あるいは金属腐食の原因になったりする。
【０００４】
そこで、特許文献１では、捕集部材２６に溜まるドレンを中和器２８で受けるようになっている。中和器２８内には中和剤が入っており、ドレンの中和処理がされる、中和されたドレンは浴槽残水などとともに、排水されるようになっている。
【０００５】
【特許文献１】特開２００３−３４３８３０
【発明の開示】
【発明が解決しようとする課題】
【０００６】
ところで、特許文献１のような潜熱回収型給湯装置の中和器２８は、器具内に収容され、その寸法も比較的大きく、図５に示されているように、縦長の深い容器内に多量の中和剤を収容して一端貯留し、中和反応をさせるようにしている。
図５は、特許文献１とほぼ同じ構造の中和器１である。
本体４内には中和剤が充填されており、ドレンの中和反応は発熱反応であるから、本体４の上端に形成したドレン導入孔２から入るドレンは本体４の下端から抜くと、十分中和反応を経ていない状態となることから、本体上端付近のドレン排出孔３から中和済みの「ドレンが排出されるようになっている。
【０００７】
しかし、例えば、もともとバランス式風呂釜などが設置されていたスペースを利用して小型の給湯装置などの燃焼装置を取り付ける場合、小さな器具内にこのような中和器１を収容することは難しい。
そこで、中和器１を器具内に収容しないで、器具からのドレン配管を延長し浴室内に固定した中和器に接続する方法もある。
しかし、近年、浴室のユニットバス化が進むと、ユニットバスは浴室の床面が従来より底上げされる構造であり、他方中和器は、器具よりも必ず低い位置に配置しなければならず、いわゆるホールインワン型の給湯装置に縦寸法の大きな中和器１を接続することは困難であった。
【０００８】
この発明は、上述の課題を解決するためになされたもので、十分な中和性能を得ることができるコンパクトな中和器と、潜熱交換器から発生するドレンの中和器を備える燃焼装置を提供することを目的としている。
【課題を解決するための手段】
【０００９】
本発明は、バランス式風呂釜を取り外した建物外壁にできる壁孔を利用して屋外に燃焼器具を設け、該燃焼器具からのドレンを浴室内に導いて、自然落下により該ドレンを導入する容器体を備えるものであって、前記容器体に設けられドレンを導入するためのドレン導入孔と、前記容器体に設けられ前記ドレンを排出するためのドレン排出孔と  を有しており、前記容器体の内部には、中和剤を充填する複数の空間を区分する隔壁が設けられ、該隔壁の上方には、中和剤が移動可能な大きさの空間が形成されていて、さらに、前記容器体には、前記浴室内に開口した空気孔が形成されており、該空気孔は、前記容器体のドレン水位の位置よりも上になるように設定されていることを特徴とする。
上記構成によれば、容器体の内部には、中和剤を充填する複数の空間を区分する隔壁が設けられているので、隔壁の設け方により、前記容器本体がどの方向に長く形成されるか決まるから、必ずしも縦長な中和器を使用しなくても済む。
さらに、隔壁の上方には、中和剤が移動可能な大きさの空間が形成されているので、中和器を傾斜させたりすることで、該空間を利用して、中和器を一方の空間から他方の空間に移動させ、消耗の多い空間に、消耗の少ない空間の中和剤を移すことができる。これにより、ドレンと中和剤の接触時間（接触経路）を常に長くすることにより、中和反応を促進しつつ、中和剤を無駄なく使用することができる。
あるいは、特定の空間の中和剤が片減りした場合には、他の空間に充填されている中和剤を、隔壁の上部の空間を利用して、移すことができ、中和剤の充填状態を均一にすることができる。
かくして、本発明によれば、縦方向に寸法をとらない形状としての十分な中和性能を得ることができるコンパクトな中和器を得ることができる。
【００１０】
好ましくは、前記容器体の内部には、連通部を有する複数の隔壁により形成される複数の空間が設けられていて、さらに、前記容器体のドレン水位よりも上部に、中和剤の挿入口が形成されていることを特徴とする。
上記構成によれば、複数の隔壁を形成して、中和剤を充填する空間を多くすれば、隔壁のならび方向と異なる方向に関しては、容器体の寸法を小さくする形成できる。
しかも複数の空間にそれぞれ中和剤を充填して、順次ドレンが移動するようにしれば、ドレンが中和剤と接触する経路および時間を長くすることができる。
さらに、容器体上部の挿入口から中和剤を入れることができ、その分、中和器を長期間にわたり使用できる。
【００１１】
好ましくは、前記中和剤を充填する複数の空間のうち、前記ドレン導入孔の直近に位置する中和剤の充填空間が他の空間と比較して同等以上に大きく形成されていることを特徴とする。
上記構成によれば、各隔壁により画成される複数の空間のうち、ドレン導入孔に近接した空間では最も中和剤が失われるので、この空間を他の空間と同等以上に大きくし、最も多量の充填剤を入れることができるようにすることが好ましい。
【００１２】
好ましくは、前記中和剤を充填する複数の空間のうち、前記ドレン導入孔の直近に位置する中和剤の充填空間の底部は、ドレンが次に移動する空間に向けて下降する傾斜面とされていることを特徴とする。
上記構成によれば、中和反応は発熱反応であるから、中和されたドレンは水位の上の方を移動する。したがって、ドレン導入孔の直近の中和剤の充填空間を大きくしても、その深い位置にドレンが溜まると中和反応を促進する上では好ましくない。
他方、大きな空間において、下方の容積を小さくし、上方の容積を大きくすることで、該大きな空間で効率よく中和反応を促進できる。
【００１３】
好ましくは、前記容器体には、前記ドレン導入孔と接続するドレン導入用の予備空間が設けられており、該予備空間と、前記中和剤が充填される中和剤の充填空間との間には、隔壁が形成されていて、該隔壁と前記中和剤の充填空間との間には、該中和剤の外形よりも小さな連通孔が設けられていることを特徴とする。
上記構成によれば、中和剤の充填空間とドレン導入孔とが予備空間により隔てられることにより、中和剤がドレン導入孔に接近し、そこで固形化して孔を閉鎖することが有効に防止される。また、閉鎖されないまでも通路を狭くするという事態も防止できるから、ドレンを通水する通路の断面積を狭くすることなく、保持できる。
【００１５】
本発明は、バランス式風呂釜を取り外した建物外壁にできる壁孔を利用して屋外に燃焼器具を設け、該燃焼器具からのドレンを浴室内に導いて、自然落下により該ドレンを導入する容器体を備える燃焼装置であって、燃焼部により加熱された流体を供給する配管を備え、前記燃焼手段の燃焼により加熱される一次熱交換器と、該一次熱交換器に入る前の流体を導き、前記燃焼手段の燃焼にともなって発生する排気ガスの潜熱を回収するための二次熱交換器である潜熱回収用熱交換器と、該潜熱回収用熱交換器により潜熱を回収する際に発生するドレンを導き、該ドレンを中和する中和器とを備えており、前記中和器が、容器体に設けられドレンを導入するためのドレン導入孔と、前記容器体に設けられ前記ドレンを排出するためのドレン排出孔とを有しており、前記容器体の内部には、中和剤を充填する複数の空間を区分する隔壁が設けられ、該隔壁の上方には、中和剤が移動可能な大きさの空間が形成されていて、さらに、前記容器体には、前記浴室内に開口した空気孔が形成されており、該空気孔は、前記容器体のドレン水位の位置よりも上になるように設定されていることを特徴とする。
上記構成によれば、第１の発明で説明したのと同じ理由により、縦方向に寸法をとらない形状としての十分な中和性能を得ることができるコンパクトな中和器と、そのような中和器を備える燃焼装置を提供することができる。
【発明を実施するための最良の形態】
【００１６】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１７】
図１において、燃焼装置４０は、この実施形態では、給湯装置であり、該燃焼装置４０は、機器ケース等でなる本体４１を有している。燃焼装置４０には浴槽４２と中和器２０が接続されており、中和器２０は本実施形態では、後述するように、器具の外部、すなわち、本体４１の外に設置されているが、本実施形態の中和器２０はきわめてコンパクトに形成されているから、本体４１内に収容されていてもよい。
燃焼装置４０の燃焼室４３内には、バーナ５３、一次熱交換器５４、二次熱交換器（潜熱回収用熱交換器）５６が収容されており、二次熱交換器５６には、ドレン受け部としての受け皿５７が配置されている。
バーナ５３には、ガス管５１が接続されており、ガス比例弁５２を介して燃料ガスが供給されるようになっている。
【００１８】
一次熱交換器５４には、給湯配管４４と、追焚き管路５８とが設けられており、熱交換のための多数のフィン５４ａがこれら配管に取付けられている。一次熱交換器５４は、バーナ５３により加熱されるように、該バーナ５３の直上に位置されている。
二次熱交換器５６は、潜熱回収用の熱交換器であり、バーナ５３の燃焼により一次熱交換器５４で熱交換された後の、燃焼排気が接触する位置に設けられており、例えば、この実施形態では、一次熱交換器５４の後段で、排気通路７５の前段に位置されている。
これにより、二次熱交換器５６で燃焼排気中の潜熱を回収した湯水は、給湯配管４４内を流れる温水を加熱するようになっている。
【００１９】
二次熱交換器５６直下の受け皿５７には、燃焼排気中に存在する水蒸気が温度の低い二次熱交換器５６表面で結露し、滴下したドレン（水）が溜まるようになっている。このドレンは窒素酸化物を含み、酸性のドレン水となっている。このドレンはドレン配管７６を介して中和器２０に導かれ、該中和器２０で中和処理されて図示しない廃棄手段に導かれる。
中和器２０の詳しい構成は後で説明する。
【００２０】
給湯配管４４は、入水管４５から入った上水が先ず二次熱交換器５６に導かれ、潜熱回収により加熱され、昇温された温水は、さらに一次熱交換器５４に導かれる。この一次熱交換器５４により加熱された温水は、出湯管４７から、出湯栓４８を介して、所定の温度で出湯されるようになっている。
なお、入水管４５と出湯管４８にはバイパス管４６が設けられている。
【００２１】
追焚き管路５８は、一次熱交換器５４で加熱された湯水が浴槽４２に向かう往き管５８ｂと、浴槽４２から器具への戻り管５８ａを含んだ循環管路であり、戻り管５８ａには風呂サーミスタ７４および循環ポンプ７１が設けられている。これにより、循環ポンプ７１を駆動して、浴槽４２の残水を引き込み、浴槽温度を見ながら追焚きすることができるようになっている。
【００２２】
本実施形態の燃焼装置４０は以上のように構成されており、次に、中和器２０の実施形態を説明する。
図２は、中和器２０の設置の一例を示す説明図である。
ここでは、例えば、もともとバランス式風呂釜などが設置されていたスペースを利用して小型の給湯装置などの燃焼装置を取り付ける場合を示している。
具体的には、浴室の壁６１に、屋外へ向けて形成した貫通孔（図示せず）が設けられており、この貫通孔を利用して、ホールインワンタイプの給湯器付き風呂釜などでなる燃焼装置４０を取り付けていた場合、このような燃焼装置４０は本体４１が非常にコンパクトであるため、中和器２０を内部に収容しにくい。
【００２３】
さらに、浴室６０のリフォームなどにより、ユニットバス化が進むと、ユニットバスは従来の床部分６２よりも高い浴室の床面６３を備えているので、燃焼装置４０を壁面６１に取り付けた状態では、器具から床面６３までの寸法Ｓが従来よりも小さくなってしまう。
一方燃焼装置４０から排出されるドレンを中和器２０に自然落下で導くためには、該燃焼装置４０よりも低い位置に配置することが望ましい。
すなわち、図２で説明したような寸法Ｓよりも大きな縦寸法の中和器は、設置することが難しくなる。
【００２４】
そこで、発明者らは、前記のような制約条件下でも設置できるコンパクトで中和性能の優れた図３のような中和器２０を開発した。
図３は中和器２０の断面図である。
図において、中和器２０は、容器体２１を有している。この容器体２１は、防水性のある丈夫な容器で、一方向、例えば図のように横方向に長い形態である。容器体２１は、例えばポリエチレン等の合成樹脂の成形品等により形成されており、設置される場所等に応じて、防水性と必要な耐熱性、機械的耐久性などを考慮して形成されている。
また、容器体２１は、内部には中和剤１１を収容し、ドレンを通すことにより十分な中和能力を発揮し得る容積を備えるようにされている。たとえば、容器体２１は、縦１５ｃｍ×横３０ｃｍ×奥行き４ｃｍ程度である。
中和剤１１は、例えば所定の粒径等の炭酸カルシウム等が好適である。
【００２５】
容器体２１の長手方向の一端側には、図１、図２の燃焼装置４０から排出されるドレンを導入するためのドレン導入孔２２と、他端側に設けられ該ドレンを排出するためのドレン排出孔２３とを有している。
好ましくは、このドレン導入孔２２およびドレン排出孔２３は、容器体２１の高さ寸法Ｈの中間もしくはそれより下の位置に形成されている。こうすることにより、ドレン水位以上の中和剤は、より新鮮な状態で中和性能を保つことができる。
ドレン導入孔２２には、図１の燃焼装置４０のドレン配管７６が接続される。
【００２６】
ドレン導入孔２２は、容器体２１内で区画された第１の予備空間１２と接続されている。この第１の予備空間１２は、容器体２１の一端部を仕切ることで形成されている。容器体２１の上部の一端部は第１の予備空間１２に含まれない張出し部１３とされて、中和剤１１が充填される空間と一体とされている。張出し部１３を設けることで、中和剤１１の充填量を多くしている。
【００２７】
第１の予備空間１２は、中和剤の充填空間１７と仕切り部１２ａで区分されている。仕切り部１２ａは例えば隔壁で、連通孔１４が設けられている。連通孔１４は、小さな貫通孔や仕切り部１２ａに設けた狭いスリット等でなり、中和剤１１がドレン導入孔２２に接近し、そこで固形化して孔を閉鎖することが有効に防止される。さらに、仕切り部１２ａに設けられた連通部の断面積は、ドレン導入孔２２の断面積よりも広くすることが可能となりドレンを通水する通路の断面積を長期的に保持できる。
【００２８】
容器体２１の他端側に設けたドレン排出孔２３は、容器体２１内で区画された第２の予備空間１８と接続されている。この第２の予備空間１８は、容器体２１の他端部を仕切ることで形成されている。
第２の予備空間１８は、中和剤１１の充填空間１７と仕切り部１８ａで区分されている。仕切り部１８ａは例えば隔壁で、連通孔１６が設けられている。連通孔１６は、小さな貫通孔や仕切り部１８ａに設けた狭いスリット等でなり、中和剤１１がドレン排出孔２３に接近し、そこで固形化して孔を閉鎖することが有効に防止される。さらに、仕切り部１８ａに設けられた連通部の断面積は、ドレン排出孔２３の断面積よりも広くすることが可能となりドレンを通水する通路の断面積を長期的に保持できる。
また、この第２の予備空間の外壁には、ドレン排出孔２３への排水を容易にする役割を担っている空気孔１５が開口されている。空気孔１５は、容器体２１の上部に設けることが好ましく、後述するドレン水位Ｑの位置よりも上に設けている。
容器体２１の内部には、ほぼ垂直に形成され、連通部を有する複数の隔壁により形成される複数の空間が設けられている。
【００２９】
具体的には、容器体２１の内部には、縦方向に垂直に延びる第１の隔壁２４と第２の隔壁２５が所定の間隔をおいて形成されている。両隔壁２４，２５の下部もしくは下方には連通部Ｋ１と連通部Ｋ２が形成されており、この部分は遮蔽がない。
第１の隔壁２４と、図において左側の内壁との間には、空間３１が形成されている。第１の隔壁２４と、第２の隔壁２５との間には空間３２が形成されている。第２の隔壁２５と図において右側の内壁との間には空間３３が形成されている。
【００３０】
この場合、ドレン導入孔２２の直近の空間３１が他の空間３２，３３と比較して同等以上大きく形成されている。
また、ドレン導入孔２２の直近の空間３１の底部は、ドレンが次に移動する空間に向けて（図３の右の方向）に沿って徐々に下降する傾斜面２７とされている。
さらに、第１の隔壁２４の上部もしくは上方は容器体２１の上辺との間に空間Ｋ３を形成するようにし、第２の隔壁２５の上部もしくは上方は容器体２１の上辺との間に空間Ｋ４を形成するようにしている。
これにより、第１の隔壁２４と第２の隔壁２５は邪魔板として複数の空間を形成するようになっており、ドレンを空間３１と、空間３２と、空間３３とで堰き止めて、滞留させて中和反応をさせつつ、該ドレンを各連通部Ｋ１，Ｋ２の順に通過させるようになっている。
したがって、空間３１は、最初にドレンが通過する空間で、中和剤１１の消費が最も大きい。空間３２は、空間３１に続いてドレンが通過する空間であり、空間３１に次いで、中和剤１１の消費が大きい。空間３３は、空間３２に続いてドレンが通過する空間であり、中和剤１１の消費が最も小さい。
【００３１】
図３において、符号Ｑで示すのは、ドレン水位であり、燃焼装置４０が最大能力で燃焼した際に、例えば、毎分４５ｃｃのドレンを発生するとした場合に、この水位Ｑを超えないように、連通部Ｋ１と連通部Ｋ２の断面積が決められている。
また、容器体２１の上部には中和剤の挿入口２６が形成されている。中和剤は例えば粒状の炭酸カルシウムであり、その形状に適合する大きさとなるように開口径が決められている。
【００３２】
本実施形態の中和器２０は以上のように構成されており、容器体２１には、連通部Ｋ１、Ｋ２を有する２つの隔壁２４，２５により複数の空間３１，３２，３３が設けられている。
このため、ドレンは、前記複数の隔壁の連通部を通過することにより中和剤との接触時間を確保するための経路長さを十分得ることができる。
つまり、図３に示すように、ドレン導入孔２２およびドレン排出孔２３が容器体２１の高さ寸法Ｈの中間もしくはそれより下の位置に形成されている。この状態で、ドレン導入孔２２から入ったドレンは矢印Ｄ１で示すように、容器体２１内と移動すると考えられる。この過程で中和剤１１と反応する。この反応は発熱反応であるため、中和されたドレンは水位の上の方を移動する。
したがって、ドレン導入孔２２の直近の中和に関与しにくい下方の中和剤が充填される容積を小さくし、無駄な中和剤を充填を削減することができる。また、上方の容積を大きくすることで、該大きな空間３１で効率よく中和反応を促進できる。
【００３３】
しかも、各隔壁２４，２５には、その下方もしくは下部に連通部Ｋ１、Ｋ２を形成しているから、図３の符合Ｄ１，Ｄ２に示すように、容器体２１の上部ではなく、それより下で、確実に中和剤が充填される位置を通され、中和反応を確実に促進することができる。また、中和器２０の高さ寸法を小さくしても、十分な中和時間を得ることができる。
そして、２つの隔壁２４，２５は横方向に並んでいるので、燃焼装置４０である器具内に中和器４０を収容する場合や、器具外であっても狭隘なユニットバスの室内に設置する場合に、縦寸法をとらない中和器２０を実現することができる。
【００３４】
また、容器体２１の上部に中和剤の挿入口２６が形成されており、各隔壁の上部には空間Ｋ３，Ｋ４を形成しているので、挿入口２６から中和剤を入れると、各隔壁の上部の空間Ｋ３，Ｋ４を利用して、これら隔壁の間の各空間３１，３２，３３等に対応して挿入口２６を個別に複数個にわたり設けなくても、これら各空間に適切に中和剤を充填できる。
しかも各隔壁２４，２５により画成されるいずれかの空間３１，３２，３３内の中和剤が片減りした場合には、他の空間に充填されている中和剤を、各隔壁２４，２５の上部の空間Ｋ３，Ｋ４を利用して、移すことができ、中和剤の充填状態を適切に変更にすることができる。
【００３５】
また、本実施形態では、図３で説明したように、容器体２１のドレン水位Ｑよりも上部に、空気孔１５が形成されているので、以下の利点がある。
この中和器２０が接続される風呂釜兼用給湯装置である場合に、図２で説明したように、それまで設置されていたバランス式風呂釜を取り外し、所謂ホールインワン型といわれる浴室壁面の貫通孔に直接取り付ける風呂釜、すなわち燃焼装置４０に変更することがある。その場合、「落し込み設置」と呼ばれる洗い場よりも一段低い位置に当該燃焼装置４０を取り付けることが考えられる。
そのような場合には、落とし込み部に設けられた排水口が、洗い場で使用した石鹸などを間違って落とした時などに塞がれると、該燃焼装置４０に接続された中和器２０が冠水することも考えられる。そのような場合であっても、容器体２１に空気孔１５が形成されていれば、排水口の閉塞が取り除かれるだけで該空気孔１５から容器体２１の内部に空気が入ることによって、中和器２０内の水が自然に排水されることになる。
【００３６】
さらに、容器体２１の複数の空間３１，３２，３３のうち、ドレン導入孔２２の直近の空間３１が他の空間３２，３３と比較して一番大きく形成されている。すなわち、これら空間のうち、ドレン導入孔２２に近接した空間３１では、最初にドレンが流れ込むので、最も中和剤が失われる。そのため、この空間３１の容積を一番を大きくしたから、最も多量の充填剤を入れることができる。
【００３７】
図４は、中和器２０が使用された状態における中和剤１１の状態などを示している。鎖線１１ａは充填された中和剤の上面を示す。
図４（ａ）において、上述した張出し部１３を設けた分だけ中和剤１１は、容器体２１内に多く充填できる。空間３１には最も多量の中和剤１１が充填されている。
ドレン導入孔２２から容器体２１に入ったドレンは、最初に空間３１で中和されるため、空間３１に充填された中和剤が最も消費される。
【００３８】
ここで、張出し部１３の箇所に中和剤を充填できるようにしたため、図４（ｂ）に傾斜面１１ｂで示すように、張出し部１３の箇所に充填されていた中和剤が消費される。さらに、中和が進むと、図４（ｃ）に示すように、第１の隔壁２４の上部の空間Ｋ３にある中和剤も第１の空間３１に流れ込んで、第１の空間３１における中和反応に利用される。
このように、第１の空間３１に関連して張出し部１３を設けることにより、中和反応が最初に行わる第１の空間３１で使用される中和剤を効率よく補充できる。
また、第１の隔壁２４および第２の隔壁２５とが、容器体２１の上端まで達することなく、空間Ｋ３，Ｋ４が形成されるように、途中までの長さ（高さ）とされている。このことにより、第１の空間３１における中和反応が進んで、中和剤の消費が進んだ場合でも上部の空間Ｋ３の中和剤１１や、第２の空間３２の上部にある中和剤も、第１の空間３２に送って中和反応に使用できる。
【００３９】
以上述べたように、本実施形態によれば、縦方向に寸法をとらない形状としての十分な中和性能を得ることができるコンパクトな中和器２０と、そのような中和器を備える燃焼装置４０を提供することができる。
【００４０】
本発明は、上述の実施形態に限定されるものではない。
容器体２１内の隔壁の数はもっと多くしてもよい。また、隔壁は垂直に設ける必要はなく、例えば、空間３１等の上部を広く取るようにして、一部あるいは全部を斜めに構成することもできる。また、それぞれの空間の容積を、中和剤１１が同時に消費するように構成すれば、中和剤１１を有効に充填することができる。隔壁の高さについても、全て同じ高さである必要は無く、各空間に中和剤が補充されやすいように、ドレンの入り口側にゆくほど段階的あるいは一部分を低くして設けることもできる。隔壁の形態も、多段階に屈曲させて設けることもできる。
さらに、容器体２１に設ける隔壁は、完全に塞ぐ壁でなく、各空間に中和剤を保持して、空間を超えて移動しない程度の隙間を有していてもよい。
中和器２０は、横方向に延びたものになっていたが、円筒形や他角柱など空間を有効に活用した形状でも良い。ドレン挿入孔２２やドレン排出孔２３の容器体２１の形成位置は、中和器２０の水平断面で中心部や周縁部でも、垂直断面で上面や下面でも良い。容器体２１内に設けられた空間同士の連通部は隔壁それぞれに対してひとつとは限らず、複数あるいは違った数を設けても良い。
なお、空気孔１５は、容器体２１の上部に設けたが、中和剤挿入口２６の図示しないキャップに設けることもできる。また、上部からの水の浸入を防ぐために、空気孔１５は、容器体２１や図示しないキャップの側面に設けることが好ましい。
本実施例では、ドレンを自然落下で中和器２０に導いたが、途中にポンプ等の液送手段を設ければドレン配管７６を延長して、好適な場所にコンパクトな形状で性能の良い中和器を設置することができる。
上述の燃焼装置では、風呂側が一次熱交換器だけで熱交換を行う構成であるが、風呂側にも二次熱交換器を設けるようにしてもよい。また、給湯と風呂の追焚きだけでなく、暖房などの経路を備えるようにしてもよい。
中和器２０には、水位検出のためのセンサを設けていないが、燃焼装置内に中和器２０を内蔵する場合には、容器体２１に水位検出用のセンサを設けるようにしてもよい。
さらには、実施形態で説明した構成の一部と、上記で説明しない他の構成と組み合わせてもよい。
【図面の簡単な説明】
【００４１】
【図１】本発明の燃焼装置の実施形態を示す系統図。
【図２】図１の燃焼装置と中和器の設置の例を示す説明図。
【図３】図１の燃焼装置に用いる中和器の実施形態を示す概略断面図。
【図４】図１の燃焼装置に用いる中和器の説明図。
【図５】従来の中和器の一例を示す説明図。
【符号の説明】
【００４２】
２０・・・中和器、２１・・・容器体、２２・・・ドレン導入孔、２３・・・ドレン排出孔、２４・・・第１の隔壁、２５・・・第２の隔壁、２６・・・中和剤挿入口、３１，３２，３３・・・空間、４４・・・給湯配管、５４・・・一次熱交換器、５６・・・二次熱交換器、５７・・・受け部（受け皿）、７０・・・中和装置、７６・・・ドレン配管
【図１】
0005207749.tif 000002
【図２】
0005207749.tif 000003
【図３】
0005207749.tif 000004
【図４】
0005207749.tif 000005
【図５】
0005207749.tif 000006